(57)【要約】【課題】複数の受光素子（受信素子）を配置しつつ、消費電力を抑制することができるリモートコントロール機能を備えたプロジェクタを提供することを目的とする。【解決手段】リモートコントロール信号を受信する複数のリモコン受信部（前面リモコン受信部２ａ、背面リモコン受信部２ｂ）と、複数のリモコン受信部のうち、実際に使用するリモコン受信部を選択するリモコン受信選択部１１５と、リモコン受信選択部１１５によって選択されたリモコン受信部に、受信動作を可能とするための電源を供給するリモコン受信電源供給部１１６と、を備える。【選択図】図３
2008092023.tif 000002
【特許請求の範囲】
【請求項１】
リモートコントロール信号による機能制御が可能なプロジェクタであって、
前記リモートコントロール信号を受信する複数のリモコン受信部と、
前記複数のリモコン受信部のうち、実際に使用する前記リモコン受信部を選択するリモコン受信選択部と、
前記リモコン受信選択部によって選択された前記リモコン受信部に、受信動作を可能とするための電源を供給するリモコン受信電源供給部と、
を備えたプロジェクタ。
【請求項２】
請求項１に記載のプロジェクタであって、
前記プロジェクタは、外装を構成する筐体と、映像光を投写する投写レンズとを有し、  前記投写レンズが設置されている前記筐体の側面領域となる前面部、および、前記前面部と逆側の側面領域となる背面部に、それぞれ１つの前記リモコン受信部を備え、
前記リモコン受信選択部は、どちらかの前記リモコン受信部を選択することを特徴とするプロジェクタ。
【請求項３】
請求項２に記載のプロジェクタであって、
前記リモコン受信選択部は、デフォルト設定として前記前面部に備える前記リモコン受信部を選択することを特徴とするプロジェクタ。
【請求項４】
請求項１乃至３のいずれか一項に記載のプロジェクタであって、
前記プロジェクタは、投写機能動作を行うための電源の供給開始信号を待ち受ける状態としての待機状態を有し、
前記リモコン受信選択部によって選択された前記リモコン受信部が前記電源の供給開始信号を受信すると、前記投写機能動作を開始することを特徴とするプロジェクタ。
【請求項５】
請求項２または３に記載のプロジェクタであって、
前記プロジェクタは、前記投写機能動作を行うための前記電源の供給開始信号を待ち受ける状態としての前記待機状態を有し、
前記待機状態において、前記リモコン受信選択部が選択する前記リモコン受信部は、前記前面部に備える前記リモコン受信部に固定することを特徴とするプロジェクタ。
【発明の詳細な説明】
【技術分野】
【０００１】
本発明は、リモートコントロール信号による機能制御が可能なプロジェクタに関するものである。
【背景技術】
【０００２】
従来、送信機から赤外線信号等のリモートコントロール信号を受光部（受信部）にて受光（受信）して遠隔操作を行うリモートコントロール装置が知られている。このリモートコントロール装置において、筐体のリモートコントロール信号を受光する面にリモートコントロール信号が通る受光窓を設け、受光窓の内側に複数の受光素子（受信素子）を備え、その複数の受光素子を、リモートコントロール信号を受光する筐体の面に対して凸または凹型の扇状に配置した構成とするものが開示されている（特許文献１）。
【０００３】
【特許文献１】特開２００２−２６２３７４号公報
【発明の開示】
【発明が解決しようとする課題】
【０００４】
しかし、特許文献１においては、リモートコントロール装置は、複数の受光素子（受信素子）を使用しているため、１つの受光素子を使用する場合と比較して、消費電力が増大するという課題があった。
【０００５】
本発明は、このような課題を解決するためになされたもので、複数の受光素子（受信素子）を配置しつつ、消費電力を抑制することができるリモートコントロール機能を備えたプロジェクタを提供することを目的とする。
【課題を解決するための手段】
【０００６】
上記目的を達成するために、本発明のプロジェクタは、リモートコントロール信号による機能制御が可能なプロジェクタであって、リモートコントロール信号を受信する複数のリモコン受信部と、複数のリモコン受信部のうち、実際に使用するリモコン受信部を選択するリモコン受信選択部と、リモコン受信選択部によって選択されたリモコン受信部に、受信動作を可能とするための電源を供給するリモコン受信電源供給部と、を備えることを要旨とする。
【０００７】
かかるプロジェクタによれば、リモコン受信選択部は、複数のリモコン受信部のうち、実際に使用するリモコン受信部だけを選択し、リモコン受信電源供給部は、選択されたリモコン受信部のみに受信動作を可能とするための電源を供給する。よって、全てのリモコン受信部を使用する場合よりも、リモコン受信部が消費する消費電力を削減することができる。
【０００８】
また、上記プロジェクタにおいて、プロジェクタは、外装を構成する筐体と、映像光を投写する投写レンズとを有し、投写レンズが設置されている筐体の側面領域となる前面部、および、前面部と逆側の側面領域となる背面部に、それぞれ１つのリモコン受信部を備え、リモコン受信選択部は、どちらかのリモコン受信部を選択することが好ましい。
【０００９】
このようなプロジェクタによれば、プロジェクタは、前面部と背面部にリモコン受信部を備え、リモコン受信選択部は、どちらかのリモコン受信部を選択し、リモコン受信電源供給部は、選択されたリモコン受信部のみに受信動作を可能とするための電源を供給する。よって、前面部と背面部にリモコン受信部を備える一般的なプロジェクタに対して、どちらかに備えるリモコン受信部を使用することになるため、リモコン受信部が消費する電力を削減することができる。
【００１０】
また、上記プロジェクタにおいて、リモコン受信選択部は、デフォルト設定として前面部に備えるリモコン受信部を選択することが好ましい。
【００１１】
このようなプロジェクタによれば、リモコン受信選択部は、前面部に備えるリモコン受信部をデフォルトとして設定している。よって、ユーザが初期設定として前面部に備えるリモコン受信部を使用するか、背面部に備えるリモコン受信部を使用するかを選択する必要がないため、選択における利便性が向上する。また、前面部に備えるリモコン受信部に設定しておくと、プロジェクタの前方からのリモコンの操作に対応できることは勿論である。さらに、例えば、プロジェクタの後方からプロジェクタに向かってリモコンを操作した場合でも、前面部に備えるリモコン受信部が、映像光の投写面であるスクリーン等と相対しているため、スクリーン等の反射を利用してリモートコントロール信号を受信することができる。よって、背面部に備えるリモコン受信部を設定し、使用する場合に比べて、受信の確率を向上させることが期待できる。
【００１２】
また、上記プロジェクタにおいて、プロジェクタは、投写機能動作を行うための電源の供給開始信号を待ち受ける状態としての待機状態を有し、リモコン受信選択部によって選択されたリモコン受信部が電源の供給開始信号を受信すると、投写機能動作を開始することが好ましい。
【００１３】
このようなプロジェクタによれば、待機状態を有することで、プロジェクタ全体としての消費電力を最小化することができる。また、リモコン受信選択部がリモコン受信部を選択することによって、さらに消費電力を削減することができる。なお、プロジェクタは、リモコン受信部によって、リモートコントロール信号としての電源の供給開始信号を受信し、投写機能動作を開始する。よって、プロジェクタは、待機状態から投写機能動作状態へ遷移することができる。ここで、投写機能動作とは、プロジェクタが光源としてのランプを点灯し、投写レンズを介して映像光を投写する機能動作を示している。
【００１４】
また、上記プロジェクタにおいて、プロジェクタは、投写機能動作を行うための電源の供給開始信号を待ち受ける状態としての待機状態を有し、待機状態において、リモコン受信選択部が選択するリモコン受信部は、前面部に備えるリモコン受信部に固定することが好ましい。
【００１５】
このようなプロジェクタによれば、待機状態では、リモコン受信選択部は、前面部に備えるリモコン受信部を固定的に選択する。リモコン受信部を固定とすることで、選択する必要がないため、選択における利便性が向上する。また、待機状態にて受信することを必要とされるリモートコントロール信号は電源の供給開始信号のみであるため、背面部に備えるリモコン受信部を使用しないことによるリモートコントロール信号の受信性能低下の影響は軽微である。よって、消費電力削減と、消費電力削減を実施する場合にリモコン受信部の選択操作が不要となる利便性の観点から、本発明を適用することの有用性は高い。
【発明を実施するための最良の形態】
【００１６】
以下、図１〜図６を用いて本発明の実施形態について説明する。
【００１７】
（第１の実施形態）
図１及び図２は、本実施形態に係るプロジェクタの概略斜視図であり、図１は、前面側から、図２は、背面側から見た図を示している。
【００１８】
両図に示すように、プロジェクタ１００は、その本体が筐体１で覆われた構成を有しており、筐体１の前面部１ａには、リモコン受信部２としての前面リモコン受信部２ａと、投写レンズ４とを備えている。筐体１の上面部には、操作部３を備えている。筐体１の背面部１ｂには、リモコン受信部２としての背面リモコン受信部２ｂと、電源端子５と、映像信号入力インターフェース部９とを備えている。映像信号入力インターフェース部９は、ミニＤ−Ｓｕｂ１５ピン端子６、Ｓ端子７、コンポジット映像端子８の合計３つの映像端子により構成されている。なお、映像信号入力インターフェース部９は、これら３つの映像端子に限定するものではなく、コンポーネント映像端子やＤ映像端子、ＨＤＭＩ（登録商標）端子等を含むものとしてもよい。
【００１９】
前面リモコン受信部２ａ及び背面リモコン受信部２ｂは、リモコンから送信されるリモートコントロール信号を受信する。リモートコントロール信号は、例えば赤外線信号であり、プロジェクタ１００の電源の供給開始である電源オン操作やプロジェクタ１００の電源の供給停止である電源オフ操作、各種の機能操作等を指示信号として送信する。前面リモコン受信部２ａは、プロジェクタ１００の前方からのリモートコントロール信号を主に受信する。背面リモコン受信部２ｂは、プロジェクタ１００の後方からのリモートコントロール信号を主に受信する。これらのリモコン受信部２は、リモコン受信部２を構成する受信素子の特性により、リモートコントロール信号を受信可能な範囲（角度および距離）が決定される。本実施形態では、リモートコントロール信号が受信素子の垂直方向とのなす角度が、０度〜±７０度程度まで受信可能となる受信素子を使用している。ただし、角度が大きくなるにつれ、受信可能な距離は短くなる。
【００２０】
操作部３は、キースイッチを備えており、プロジェクタ１００の電源の供給開始である電源オン操作や電源の供給停止である電源オフ操作、各種の機能操作等を行える。投写レンズ４は、プロジェクタ１００に入力された映像信号を映像光として投写する。電源端子５は、図示しないＡＣアダプタおよび電源ケーブルが接続されて、プロジェクタ１００に電源を供給する。ミニＤ−Ｓｕｂ１５ピン端子６は、ＰＣ（パーソナルコンピュータ）等から映像信号を入力する。Ｓ端子７は、各種映像再生装置等から映像信号を入力する。コンポジット映像端子８は、同じく各種映像再生装置等から映像信号を入力する。
【００２１】
図３は、プロジェクタの機能構成を示す機能ブロック図である。図３を使用して、プロジェクタ１００の機能構成について説明する。
プロジェクタ１００は、映像信号入力インターフェース部９と、映像入力選択部１１０と、映像信号処理部１１１と、映像投写部１１２と、投写レンズ４と、前面リモコン受信部２ａと、背面リモコン受信部２ｂと、操作部３と、操作受付部１１３と、制御部１１４と、リモコン受信選択部１１５と、リモコン受信電源供給部１１６とを備えている。さらに、図３には、プロジェクタ１００の外部に、リモコン２００と、スクリーン３００とを図示している。
【００２２】
次に、機能構成を用いてプロジェクタ１００の動作を説明する。
映像信号入力インターフェース部９は、図示しないＰＣや映像再生装置等から映像信号を入力する。映像入力選択部１１０は、映像信号入力インターフェース部９に入力された複数の映像信号から、投写する映像信号を選択する。選択された映像信号は、映像信号処理部１１１によって必要に応じて映像加工が行われる。映像加工とは、例えば、拡大や縮小といった画像処理や台形補正処理、色補正処理等を示す。映像加工が行われた映像信号は、映像投写部１１２によって映像光とされ、投写レンズ４を介してスクリーン３００に投写される。
【００２３】
リモコン２００は、ユーザの操作により、プロジェクタ１００への機能操作指示をリモートコントロール信号として送信する。前面リモコン受信部２ａまたは背面リモコン受信部２ｂは、リモコン２００からのリモートコントロール信号を受信し、操作受付部１１３へ出力する。操作部３は、ユーザのキースイッチ操作によって行われたプロジェクタ１００への機能操作指示を操作受付部１１３へ出力する。
【００２４】
操作受付部１１３は、前面リモコン受信部２ａ、背面リモコン受信部２ｂまたは操作部３から入力した機能操作指示を受け付け、制御部１１４へ出力する。制御部１１４は、操作受付部１１３が受け付けた機能操作指示に対応した機能動作等を行い、プロジェクタ１００を統括制御する。その他の制御内容としては、例えば、映像信号処理に関する制御や、図示しないランプ部の制御、冷却ファン部の制御等を行う。
【００２５】
リモコン受信選択部１１５は、制御部１１４からの指示により、前面リモコン受信部２ａまたは背面リモコン受信部２ｂのどちらか１つを選択する。このときの選択方法としては、本実施形態では、プロジェクタ１００にソフトウェアとして実装する機能設定メニューに「リモコン受信部選択」項目を設け、ユーザがリモコン２００または操作部３を操作して選択できるようにする。図５は、プロジェクタ１００のリモコン受信部選択メニュー表示図である。プロジェクタ１００は、図５に示すようなリモコン受信部選択メニューＭ１をスクリーン３００に投写し、ユーザは、リモコン２００または操作部３を操作することにより、「プロジェクタ前面」または「プロジェクタ背面」のリモコン受信部を選択することができる。
【００２６】
リモコン受信電源供給部１１６は、リモコン受信選択部１１５により選択されたリモコン受信部についての情報を受け取る。前面リモコン受信部２ａが選択された場合、リモコン受信電源供給部１１６は、前面リモコン受信部２ａに受信動作を可能とするための電源を供給し、背面リモコン受信部２ｂの電源の供給は停止する。また、背面リモコン受信部２ｂが選択された場合、リモコン受信電源供給部１１６は、背面リモコン受信部２ｂに受信動作を可能とするための電源を供給し、前面リモコン受信部２ａの電源の供給は停止する。
【００２７】
上述のような構成によって、プロジェクタ１００は、映像光の投写を行いつつ、リモコン２００から機能操作指示をリモートコントロール信号として受信し、機能動作を行うことができる。また、使用するリモコン受信部として前面リモコン受信部２ａまたは背面リモコン受信部２ｂの選択を行うことができる。
【００２８】
ここで、本実施形態では、リモコン受信選択部１１５は、デフォルト設定として、前面リモコン受信部２ａを選択する。デフォルト設定とは、プロジェクタ１００のリセット時の初期設定であり、ユーザが設定を変更しない限り使用される設定値である。よって、設定値を変更する意図のないユーザは、デフォルト設定を使用し続けることになる。また、設定値を変更する意図のあるユーザは、上述した図５に示すリモコン受信部選択メニューＭ１を用いて設定を変更し、意図した前面リモコン受信部２ａまたは背面リモコン受信部２ｂを選択することができる。設定を変更した場合は、プロジェクタ１００の電源のオン／オフ操作を行っても、ユーザが選択した前面リモコン受信部２ａまたは背面リモコン受信部２ｂはそのまま維持される。
【００２９】
前面リモコン受信部２ａをデフォルト設定として選択することで、次のようなリモコン２００の使用方法が可能となる。前面リモコン受信部２ａは、映像光の投写面であるスクリーン３００と相対しているため、スクリーン３００に向けてリモコン２００を操作することで、リモートコントロール信号をスクリーン３００で反射させ、前面リモコン受信部２ａによって受信させることができる。図４を用いてこの動作を説明する。
【００３０】
図４は、スクリーンを利用したプロジェクタのリモコン操作図である。図４に示すように、プロジェクタ１００は、スクリーン３００に相対するように配置されている。また、プロジェクタ１００には、映像信号出力装置としてのＰＣ４００が接続されている。ユーザ（図示せず）は、リモコン２００をスクリーン３００に向けて操作することにより、機能操作指示としてのリモートコントロール信号を送信する。送信されたリモートコントロール信号は、図中の矢印に示すようにスクリーン３００により反射されて、プロジェクタ１００の前面リモコン受信部２ａに到達する。これにより、前面リモコン受信部２ａは、リモートコントロール信号を受信することができる。
【００３１】
上述した第１の実施形態によれば、以下の効果が得られる。
（１）リモコン受信選択部１１５は、前面リモコン受信部２ａまたは背面リモコン受信部２ｂのどちらかを選択する。そして、選択したリモコン受信部に対して、リモコン受信電源供給部１１６は、受信動作を可能とするための電源を供給する。よって、前面リモコン受信部２ａおよび背面リモコン受信部２ｂの両方に電源を供給する場合に比べて、リモコン受信部２として消費する消費電力を削減することができる。これにより、プロジェクタ１００としても消費電力を低減することが可能となる。
【００３２】
（２）ユーザは、前面リモコン受信部２ａまたは背面リモコン受信部２ｂのどちらかを、リモコン受信部選択メニューＭ１により容易に選択することができる。ここで、ユーザは、プロジェクタ１００の後方からリモコン２００の操作をする場合は、背面リモコン受信部２ｂを選択し、プロジェクタ１００の前方からのリモコン２００の操作をする場合は、前面リモコン受信部２ａを選択する。これにより、ユーザは、プロジェクタ１００の設置状況およびユーザの位置に対応して、前面リモコン受信部２ａまたは背面リモコン受信部２ｂのどちらかを選択することが可能となる。よって、リモコン受信可能状態を維持しつつ、プロジェクタ１００の消費電力を低減することができる。
【００３３】
（３）リモコン受信選択部１１５が、デフォルト設定として前面リモコン受信部２ａを選択することにより、リモコン受信部を変更する意図のないユーザにとっては、選択の必要がなくなる。また、前面リモコン受信部２ａは、映像光の投写面であるスクリーン３００と相対している。よって、ユーザはリモコン２００をスクリーン３００に向けて操作することで、スクリーン３００の反射を利用してプロジェクタ１００の機能操作を行うことができる。つまり、プロジェクタ１００の後方に位置するユーザは、リモコン２００をスクリーン３００に向けて操作することで、プロジェクタ１００の機能操作を行うことができる。さらに、プロジェクタ１００の前方に位置するユーザにおいても、振り向いてリモコン２００をプロジェクタ１００に向けて操作しなくとも、リモコン２００をスクリーン３００に向けて操作することで、プロジェクタ１００の機能操作を行うことができる。よって、前面リモコン受信部２ａを使用することは、背面リモコン受信部２ｂを使用することに比べて、受信の確率を向上させることが期待できる。よって、前面リモコン受信部２ａをデフォルト設定として選択することは、好適である。
【００３４】
（第２の実施形態）
次に、待機状態を備えた本発明のプロジェクタ１００について説明する。図６は、プロジェクタの状態遷移図である。図６に示すように、本実施形態のプロジェクタ１００は、停止状態ＳＴ１０、待機状態ＳＴ１１、投写機能動作状態ＳＴ１２の３つの状態のいずれかを取り得るものとする。
【００３５】
停止状態ＳＴ１０とは、プロジェクタ１００装置に電源が供給されていない停止した状態を示す。待機状態ＳＴ１１とは、プロジェクタ１００装置の一部分に電源が供給されているが、ランプを消灯して、投写機能動作をしていない状態を示す。そして、待機状態ＳＴ１１は、プロジェクタ１００が投写機能動作を行うための電源の供給開始信号を待ち受けている状態である。ここで、電源の供給開始信号は、ユーザがリモコン２００を使用して送信する。これにより、プロジェクタ１００から離れた位置から電源の供給開始の指示が可能となる。また、操作部３のキースイッチによって電源の供給開始を指示することもできる。
【００３６】
また、投写機能動作状態ＳＴ１２とは、プロジェクタ１００装置全体に電源が供給されており、光源としてのランプを点灯し、投写レンズ４を介して映像光をスクリーン３００に投写している状態を示す。
【００３７】
なお、停止状態ＳＴ１０と待機状態ＳＴ１１は、例えば、ＡＣアダプタ挿抜等によって状態が遷移する。また、待機状態ＳＴ１１と投写機能動作状態ＳＴ１２は、例えば、上述の電源の供給開始信号や、投写機能動作を停止するための電源の供給停止信号によって状態が遷移する。
【００３８】
待機状態ＳＴ１１は、プロジェクタ１００としての消費電力を最小化している待ち受け状態である。よって、リモコン受信部２の消費電力についても極力削減することが望ましい。そこで、待機状態ＳＴ１１においても、リモコン受信選択部１１５が、前面リモコン受信部２ａまたは背面リモコン受信部２ｂのどちらかを選択することで、リモコン受信部２としての消費電力を削減する。これにより、プロジェクタ１００としての消費電力も低減することが可能である。
【００３９】
本実施形態では、プロジェクタ１００は、投写機能動作状態ＳＴ１２において、図５に示したリモコン受信部選択メニューＭ１をスクリーン３００に投写することで、ユーザはリモコン受信部を選択する。待機状態ＳＴ１１では、投写機能動作状態ＳＴ１２において選択したリモコン受信部を維持し使用する。
【００４０】
上述した第２の実施形態によれば、以下の効果が得られる。
（１）待機状態ＳＴ１１を設けることで、プロジェクタ１００は、消費電力を最小化することができる。さらに、リモコン受信選択部１１５が前面リモコン受信部２ａまたは背面リモコン受信部２ｂのどちらかを選択することで、リモコン受信部２として消費する消費電力を削減することができる。よって、待機状態ＳＴ１１においても、前面リモコン受信部２ａおよび背面リモコン受信部２ｂの両方に電源を供給する場合に比べて、プロジェクタ１００の消費電力を低減することが可能となる。待機状態ＳＴ１１において消費電力を低減することは、プロジェクタ１００未使用時にも停止状態ＳＴ１０に移行させずに（ＡＣアダプタを抜かずに）、常に待機状態ＳＴ１１のままとしているユーザにとって特に有益である。
【００４１】
（２）また、待機状態ＳＴ１１では、プロジェクタ１００の投写機能動作を開始させるための電源の供給開始信号を、ユーザがリモコン操作によって送信すると、プロジェクタ１００は、その電源の供給開始信号を受信することができる。よって、ユーザは、リモコン操作によって、プロジェクタ１００の投写機能動作を開始し、投写機能動作状態ＳＴ１２に遷移させることができる。
【００４２】
以上、本発明の実施形態について説明したが、本発明はこうした実施形態に何ら限定されるものではなく、本発明の要旨を逸脱しない範囲において様々な形態で実施し得ることは勿論である。以下に変形例を述べる。
【００４３】
（変形例１）上記実施形態では、投写機能動作状態ＳＴ１２において選択したリモコン受信部を待機状態ＳＴ１１でも維持するものとしたが、リモコン受信選択部１１５は、待機状態ＳＴ１１および投写機能動作状態ＳＴ１２において、それぞれの状態で使用するリモコン受信部を選択するものとしてもよい。こうすれば、ユーザの使用状況に応じて、待機状態ＳＴ１１と投写機能動作状態ＳＴ１２とで異なるリモコン受信部を選択することが可能となり、選択の幅が広がる。
【００４４】
（変形例２）さらに、待機状態ＳＴ１１においては、リモコン受信選択部１１５は、前面リモコン受信部２ａを固定的に選択するものとしてもよい。つまり、リモコン受信選択部１１５は、待機状態ＳＴ１１では、前面リモコン受信部２ａを固定選択し、投写機能動作状態ＳＴ１２では、前面リモコン受信部２ａまたは背面リモコン受信部２ｂのどちらかを選択するものとする。こうすれば、待機状態ＳＴ１１のリモコン受信部選択機能のソフトウェアの実装が不要となる。さらに、ユーザは待機状態ＳＴ１１のリモコン受信部を選択する必要がないため、選択における利便性が向上する。また、前面リモコン受信部２ａは、上述したように投写面であるスクリーン３００の反射を利用してリモートコントロール信号の受信を行うことができ、背面リモコン受信部２ｂを使用することに比べて、受信の確率を向上させることが期待できる。よって、待機状態ＳＴ１１で前面リモコン受信部２ａを選択することの効果は大きい。また、待機状態ＳＴ１１では投写機能動作を行っていないため、待機状態ＳＴ１１にて受信することを必要とされるリモートコントロール信号は投写機能動作を開始させるための電源の供給開始信号のみである。よって、待機状態ＳＴ１１において、背面リモコン受信部２ｂを使用しないことによるリモートコントロール信号の受信性能低下の影響は、ユーザにとって軽微である。
【００４５】
（変形例３）また、待機状態ＳＴ１１では、前面リモコン受信部２ａを固定的に選択し、投写機能動作状態ＳＴ１２では、前面リモコン受信部２ａおよび背面リモコン受信部２ｂの両方を選択するものとしてもよい。こうすれば、ユーザはリモコン受信部を選択する必要がないため、選択における利便性が向上する。さらに、図５に示したリモコン受信部選択メニューＭ１は不要となり、リモコン受信部選択機能のソフトウェアの実装は不要となる。また、待機状態ＳＴ１１では、消費電力低減を優先し、投写機能動作状態ＳＴ１２では、リモコン受信性能を優先することが可能となる。
【００４６】
（変形例４）上記実施形態では、プロジェクタ１００のリモコン受信部の数は、前面リモコン受信部２ａおよび背面リモコン受信部２ｂの２つとしたが、リモコン受信部は３つ以上備えるものとしてもよい。また、リモコン受信選択部１１５が選択するリモコン受信部は、１つ以上でもよい。もとより、消費電力を削減するためには、選択するリモコン受信部は少ない方がよい。こうすれば、本発明は、リモコン受信部を３つ以上備えるプロジェクタにも適用することができ、消費電力を削減することができる。
【００４７】
（変形例５）上記実施形態では、リモコン受信部の選択は、ユーザが行うものとしたが、プロジェクタ１００が自動的に選択するものとしてもよい。例えば、プロジェクタ１００の使用開始時には、リモコン受信選択部１１５は、前面リモコン受信部２ａおよび背面リモコン受信部２ｂのリモコン受信部を両方選択し、使用可能としておく。そして、ユーザがプロジェクタ１００を使用した際のリモコン２００からの受信情報を一定期間データ収集し、リモコン受信選択部１１５は、どちらのリモコン受信部の受信頻度が高かったかを判断する。リモコン受信選択部１１５は、その判断結果によって前面リモコン受信部２ａまたは背面リモコン受信部２ｂのリモコン受信部を選択することができる。こうすれば、ユーザはリモコン受信部を選択する必要がなくなり、自動的に使用頻度が高く最適なリモコン受信部が選択される。そして、消費電力も削減することができる。
【図面の簡単な説明】
【００４８】
【図１】実施形態に係るプロジェクタの概略斜視図（前面）。
【図２】実施形態に係るプロジェクタの概略斜視図（背面）。
【図３】プロジェクタの機能構成を示す機能ブロック図。
【図４】スクリーンを利用したプロジェクタのリモコン操作図。
【図５】プロジェクタのリモコン受信部選択メニュー表示図。
【図６】プロジェクタの状態遷移図。
【符号の説明】
【００４９】
１…筐体、１ａ…前面部、１ｂ…背面部、２…リモコン受信部、２ａ…前面リモコン受信部、２ｂ…背面リモコン受信部、３…操作部、４…投写レンズ、５…電源端子、６…ミニＤ−Ｓｕｂ１５ピン端子、７…Ｓ端子、８…コンポジット映像端子、９…映像信号入力インターフェース部、１１０…映像入力選択部、１１１…映像信号処理部、１１２…映像投写部、１１３…操作受付部、１１４…制御部、１１５…リモコン受信選択部、１１６…リモコン受信電源供給部、１００…プロジェクタ、２００…リモコン、３００…スクリーン、４００…ＰＣ。
【図１】
2008092023.tif 000003
【図２】
2008092023.tif 000004
【図３】
2008092023.tif 000005
【図４】
2008092023.tif 000006
【図５】
2008092023.tif 000007
【図６】
2008092023.tif 000008